【手続補正書】
【提出日】平成20年8月7日(2008.8.7)
【手続補正１】
【補正対象書類名】明細書
【補正対象項目名】発明の名称
【補正方法】変更
【補正の内容】
【発明の名称】マグネット駆動装置、マグネット駆動装置を駆動源とする光量調節装置
【手続補正２】
【補正対象書類名】明細書
【補正対象項目名】特許請求の範囲
【補正方法】変更
【補正の内容】
【特許請求の範囲】
【請求項１】  回転軸を有し、２極着磁されたマグネットに駆動アームが一体に組み付けられたローターマグネットと、
前記ローターマグネットに対してギャップを有して対向配置される円弧形状に形成された磁極部と、前記ローターマグネットの軸方向と直交する方向に延びるストレート部と有するステーターヨークと、
前記ステーターヨークを励磁するものであって、前記ステーターヨークのストレート部がコイルの巻回中心に相通されることで固定されるコイルボビンと、
前記ローターマグネットの一方の回転軸を軸支する軸受け部と、前記ステーターヨークと前記コイルボビンを固定する固定部とを有する第１の軸受け部材と、
前記ローターマグネットの他方の回転軸を軸支する軸受け部を有する第２の軸受け部材とを備えたことを特徴とするマグネット駆動装置。
【請求項２】  前記第２の軸受け部材は、前記駆動アームの回転範囲を制限するストッパー部と、前記ステーターヨークを固定する固定部とを有することを特徴とする請求項１に記載のマグネット駆動装置。
【請求項３】  前記駆動アームは、前記ローターマグネットと前記ステーターヨークの磁気作用によるディテントトルクよって、無通電時において前記ストッパー部に当接保持されることを特徴とする請求項２に記載のマグネット駆動装置。
【請求項４】  前記駆動アームを回動可能範囲における任意の位置に停止させるために用いられ、前記ローターマグネットの回転位置を検出する磁気センサーを有することを特徴とする請求項１ないし３のいずれか１項に記載のマグネット駆動装置。
【請求項５】  前記第２の軸受け部材は、前記磁気センサーを位置決めするための位置決め部を有することを特徴とする請求項４に記載のマグネット駆動装置。
【請求項６】  請求項１から５のいずれか１項に記載のマグネット駆動装置と、このマグネット駆動装置により駆動されて光通過用開口の面積を変化させる遮光部材とを有することを特徴とする光量調節装置。
【手続補正３】
【補正対象書類名】明細書
【補正対象項目名】０００１
【補正方法】変更
【補正の内容】
【０００１】
【発明の属する技術分野】
本発明はコイルが取り付けられる一対のステーターヨークを有するマグネット駆動装置、このマグネット駆動装置を駆動源とした光量調節装置に関するものである。
【手続補正４】
【補正対象書類名】明細書
【補正対象項目名】０００４
【補正方法】変更
【補正の内容】
【０００４】
このようなマグネット駆動装置は、前記コイルに対する通電電流を制御することでローターマグネットが滑らかに回動するので、上記した光学機器の絞り羽根を開方向に移動させたり閉じ方向に移動させたりする光量調節装置の駆動源に用いられている。
【手続補正５】
【補正対象書類名】明細書
【補正対象項目名】０００７
【補正方法】変更
【補正の内容】
【０００７】
そこで、本発明は、小型でトルク効率が良く、かつ組立性に優れたマグネット駆動装置、このマグネット駆動装置を駆動源とする光量調節装置を提供することを目的としている。
【手続補正６】
【補正対象書類名】明細書
【補正対象項目名】０００８
【補正方法】変更
【補正の内容】
【０００８】
【課題を解決するための手段】
上記目的を達成するために本発明のマグネット駆動装置は、回転軸を有し、２極着磁されたマグネットに駆動アームが一体に組み付けられたローターマグネットと、前記ローターマグネットに対してギャップを有して対向配置される円弧形状に形成された磁極部と、前記ローターマグネットの軸方向と直交する方向に延びるストレート部とを有するステーターヨークと、前記ステーターヨークを励磁するものであって、前記ステーターヨークの前記ストレート部がコイルの巻回中心に挿通されることで固定されるコイルボビンと、前記ローターマグネットの一方の回転軸を軸支する軸受け部が形成されるとともに、前記ステーターヨークと前記コイルボビンを固定する固定部が形成される第１の軸受け部材と、前記ローターマグネットの他方の回転軸を軸支する軸受け部が形成される第２の軸受け部材とを有することを特徴とする。
【手続補正７】
【補正対象書類名】明細書
【補正対象項目名】００１７
【補正方法】変更
【補正の内容】
【００１７】
５はキャップである。キャップ５は、前記ローターマグネットの軸部６ａを軸支することにより前記ローターマグネットを回動可能に支持するための軸受け孔５ａと、磁気センサー９を位置決め固定するための溝５ｃを軸方向に有し、さらに前記一対のステーターヨーク７と２を固定するための径方向外方に延びるストッパー５ｂと５ｎを備えている。
【手続補正８】
【補正対象書類名】明細書
【補正対象項目名】００２１
【補正方法】変更
【補正の内容】
【００２１】
この状態、すなわちキャップ５と磁気センサー９と前記ローターマグネットが結合した状態のものに、前述したステーターヨーク２、７とコイルボビン１、軸受け４が結合した状態のものを組み合わせる。一対のステーターヨーク２と７は前記キャップ５に対して軸方向に嵌め込み、さらに周方向に回動することで係合爪（フック部２ｂ，７ｂ）が係合部（ストッパー５ｂ，５ｎ）に係合して一体化する結合方式により固定されるようになっている。
【手続補正９】
【補正対象書類名】明細書
【補正対象項目名】００２３
【補正方法】変更
【補正の内容】
【００２３】
次に、キャップ５のステータヨークストッパー（以下ヨークストッパー）５ｂと５ｎを乗り越えて止まるようにステーターヨーク２と７のフック部２ｂと７ｂを回転させる。この時、ステーターヨーク２、７の円弧部２ｃ、７ｃの内周はキャップ５の円弧側面５ｏ、５ｐ、５ｑに沿って位置する。
【手続補正１０】
【補正対象書類名】明細書
【補正対象項目名】００２５
【補正方法】変更
【補正の内容】
【００２５】
ヨークストッパー５ｂにフック部２ｂが掛かるように前記ステーターヨークを図７の矢印方向に回転させると、フック部２ｂのスロープ部２ｂ−１がヨークストッパー５ｂのスロープ部５ｂ−１に乗り上げ、さらに回転するとフック部２ｂの爪２ｅがヨークストッパー５ｂに掛かる。この時ステータヨークはヨークストッパーによって回転軸方向とスラスト方向の両方向を拘束される。さらに、ステーターヨークの円弧部内周は軸受け４とキャップ５の円周側面に沿って配置されているため、ステーターヨークが外れることはない。またマグネットとステーターヨークのマグネット対向部の距離は高精度に保たれトルク出力が安定する。
【手続補正１１】
【補正対象書類名】明細書
【補正対象項目名】００２７
【補正方法】変更
【補正の内容】
【００２７】
コイルに正通電が行われると、磁気的に安定な方向（図６では反時計方向）に前記ローターマグネットは回転し、アーム６の腕部６ｄがキャップ５に設けられたストッパー５ｅに当接して付勢される。この時通電を止めてもマグネットとステーターヨーク間に発生するディテントトルクによって付勢された状態が保たれる（図６の正通電）。
【手続補正１２】
【補正対象書類名】明細書
【補正対象項目名】００３４
【補正方法】変更
【補正の内容】
【００３４】
Ａ絞り羽根１０は地板のピン１２ａ、１２ｂ、１２ｃによってスライド可能に支持されている。一方、Ｂ絞り羽根１１は地板のピン１２ａ、１２ｃ、１２ｄによってスライド可能に支持されている。前述したコイル（不図示）に通電すると前記ステーターヨークが励磁され駆動アーム６は回動する。この時Ａ絞り羽根１０、Ｂ絞り羽根１１は地板１２に設けられた光開口部１２ｅを通過する光量を変化させる。通電が正逆通電とＯＮ、ＯＦＦのみの制御の場合にとりうる通過光量の値は２通りであり、前記磁気センサーを用いたサーボ駆動で任意の位置に駆動アーム６を停止した場合は、停止位置に応じた各々値を設定可能である。
【手続補正１３】
【補正対象書類名】明細書
【補正対象項目名】００３８
【補正方法】変更
【補正の内容】
【００３８】
【発明の効果】
以上説明したように本発明のマグネット駆動装置によれば、２つのステーターヨークのストレート部はコイルボビン内で圧入されて磁気回路を形成するため金属片等の部材を用いなくてもよく、安価に出来る。またこの時、同時に軸受けも固定されるので組み立て工数が削減出来る。